(57)【要約】      （修正有）【課題】解錠動作の複雑化を回避しつつ汚れの集中を防ぐことができる電気錠装置を提供する。【解決手段】操作パネルの数字キー上に形成された二次元色パターンから色を入力する色判定モードと数字キーの所定順序の入力による数字判定モードからなる。解錠動作ごとに二次元色パターンの形状は変更されるため、数字キーの押圧動作による色選択動作は、数字キーの汚れを分散させる。また色判別は数字判別に比べて容易であるため、解錠動作が容易となる。【選択図】図２
2017043972.tif 000002
【特許請求の範囲】
【請求項１】
所定個数の数字キーが行列状に配列された数字入力盤と、前記数字入力盤から入力された数字列からなる暗唱番号が登録済みの暗唱番号と一致する場合に電気錠の解錠を指令するコントローラとを有する電気錠装置において、
前記数字入力盤は、少なくとも複数の色光を含む二次元色パターンを各数字キー上に発生させる発光素子セットを内蔵し、
前記コントローラは、
数字キー上に形成された二次元色パターンから所定の色を数字キーの入力により選択し、選択された色が登録済みの色と一致するか否かを判定する色判定モードと、数字キーの入力により決定された入力された入力暗唱番号入力が登録済みの暗唱番号と一致するか否かを判定する数字判定モードとを有し、前記色判定モード及び前記数字判定モードの両方が一致状態を出力する時にのみ電気錠を解錠し、かつ、解錠開始ごとに前記二次元色パターンは変更されることを特徴とする電気錠装置
【発明の詳細な説明】
【技術分野】
【０００１】
本発明は暗証番号入力方式の電気錠装置に関する。
【背景技術】
【０００２】
暗証番号方式の電気錠の解錠は、数字キーが行列状に配列された数字入力盤により構成された操作パネルに所定桁数の登録済み数字列である暗証番号を入力することによりなされる。しかしながら、操作パネル上の各数字キーの位置が固定されている場合には特定の数字キーの汚れがひどくなることが防犯上の問題となっていた。
【０００３】
この問題を改善するため、操作パネル上における数字キーの位置を変更すること方法が知られている。しかしながら、１０個の数字キーの位置をランダムに変更すると、解錠者が数字を探す負担が大きいという欠点があった。
【０００４】
特許文献１は用いる数字キーの総数よりも多いキーが行列状に配列された多桁多行の数字入力盤を用いることにより、この問題を改善することを提案している。たとえば５行５桁の数字入力盤が採用される場合、通常のテンキー配列パターンを崩すことなく各数字キーの位置を上下左右に１キーずつシフトすることが可能となるため、数字入力盤上の汚れは大幅に分散される。しかしながら、この冗長型数字入力盤は通常のテンキー型の操作パネルよりも大型となるため設置上の問題があった。
【先行技術文献】
【特許文献】
【０００５】
【特許文献１】特開平０５ー３４７８３３号公報
【発明の概要】
【０００６】
本発明は解錠操作が容易であり、汚れ分散性に優れた電気錠の解錠方法を提供することをその目的としている。
【０００７】
本発明の電気錠装置は、通常の暗唱番号すなわち登録済み数字列を判定する数字キー判定モードに加えて、各数字キー上に展開される二次元の色パターンから登録済み色列を選択する色判定モードを有する。
【０００８】
たとえば解錠に際して１０個の数字キーのうちの任意の３つの数字キーは赤色（Ｒ）、緑色（Ｇ）、青色（Ｂ）のどれか一つの色で発光する。言い換えれば、１０個の数字キーの内の一つが赤色（Ｒ）となり、もう一つが緑色（Ｇ）となり、さらにもう一つが青色（Ｂ）となる。各数字キーに与えられる色は解錠動作毎に変更される。
【０００９】
解錠者は予め記憶する色で発光する数字キーを押す。これにより、色符号列の入力が完了する。入力色符号列が登録済み色符号列と一致する時、正常な色選択がなされたと判定される。この色選択と従来と同じ暗唱番号（登録済み数字列）の入力とを組み合わせることにより、解錠動作を容易化することができる。さらに、色選択のために、数字キーがランダムに押されるため、数字キーの汚れが大幅に分散される。
【００１０】
登録色符号列は一個でもよく、シーケンシャルに入力される複数の色列でもよい。たとえば、登録色パターンが赤（Ｒ）、緑（Ｇ）である時、解錠者はまず赤色発光する一つの数字キーを押し、次に緑色発光する一つの数字キーを押すことにより、色選択モードを突破する。
【００１１】
好適には複数の数字キーが同色で発光する。たとえば数字キー０、３、５を赤色発光させ、数字キー１、４、９を緑色発光させ、数字キー７、８、２を青色発光させる時、解錠者は数字キー０、３、５のいずれか一つを選択した後、数字キー１、４、９のいずれか一つを選択する。これにより、入力色パターンは赤、緑となる。
【００１２】
登録色パターンは、同じ色の３つの数字キーにより決定されることもできる。たとえば数字キー０、３、５が赤色発光している時、数字キー０、３、５を任意の順番で一回ずつ押すことにより、赤、赤、赤の色パターンを選択することができる。
【００１３】
Ｒ、Ｇ、Ｂの３つの発光素子（ＬＥＤ）を用いる時、これら３つのＬＥＤを同時に発光させることにより、白色（Ｗ）を発光させることができる。つまり、色信号として４色を利用することができる。これにより、発光色パターンの種類を増加することができる。
【００１４】
本発明によれば、操作パネルを大型化することなく、汚れの集中を防止しつつ、解錠動作を容易化することができる。
【図面の簡単な説明】
【００１５】
【図１】実施例の電気錠装置を示すブロック回路図である。
【図２】図１に示される電気錠装置の解錠動作を示す模式図である。
【図３】図１に示される電気錠装置の解錠動作を示すフローチャートである。
【発明を実施するための形態】
【００１６】
本発明の一つの実施例が図１を参照して説明される。図１はこの実施例の電気錠装置を示すブロック回路図である。この電気錠装置は操作パネル１０と、マイクロコンピュータ内蔵のコントローラ２０と、電気信号により施開錠される電気錠３０と、暗唱符号の登録及び登録解消用の制御スイッチ４０とを有している。
【００１７】
操作パネル１０は、格子状に配列された１０個の数字キー０-９及びクリアキーＣと実行キーＥとを有している。操作パネル１０の前面は半透明カバーにより覆われてため、操作パネル１０内の発光は外部に放射されることができる。図略の赤色（Ｒ）の発光ダイオード（ＬＥＤ）、緑色のＬＥＤ及び青色のＬＥＤが１０個の数字キー０-９の内部にそれぞれ埋設されている。したがって、各数字キー０-９は３つの色光を発生することができる。さらに、各数字キー０-９は内蔵する３つの発光素子を同時発光させることにより白色光Ｗを発生することができる。各数字キー内の発光が隣接の数字キー側へ漏れないように、障壁が互いに隣接する任意の２つの数字キーの間の境界部に設けられている。
【００１８】
数字キー０-９、クリアキーＣ及びエンターキーＥの操作状態はコントローラ２０に出力され、コントローラ２０は合計３０個の発光ダイオードへの通電を制御する。操作パネル１０とコントローラ２０との間の信号線を減らすために、マイクロコンピュータなどを操作パネル１０内に設けることも可能である。コントローラ２０は演算結果に基づいて電気錠３０の施錠状態と解錠状態とを決定する処理を行う。さらに、コントローラ２０は制御スイッチ４０がオンされる期間だけ暗唱符号の登録状態の変更処理を行う。ただし、暗証符号の変更の方法自体は本発明の要旨ではなく、従来知られている種々の方法を採用することができる。
【００１９】
この実施例の解錠処理が図２を参照して説明される。この実施例によれば、暗唱符号は、２桁の色符号列と４桁の数字列との組み合わせにより構成されている。色符号はＲ、Ｇ、Ｂ、Ｗの４つの色符号を含む。一例によれば、解錠者は、たとえばクリアキーCを押すことにより、解錠動作の開始をコントローラ２０に入力する。解錠動作開始信号が入力されると、コントローラ２０はテンキーすなわち１０個の数字キー０-９を４色のどれか一つで発光させる。この時、二次元色配列パターンは解錠動作を実施する度に変更される。
【００２０】
二次元色配列パターンの一例が図２の左側に示されている。解錠者は予め登録されている２桁の色符号列を押す。たとえば登録済み色符号列がＲ、Ｇであれば、解錠者はまずＲ色キーを押し、次にＧ色キーを押す。図２では、２つのＲ色キーと２つのＧ色キーと２つのＢ色キーと４つのＷ色キーとを備えるが、Ｒ色符号を選択するために２つのＲ色キーのいずれを押してもよく、Ｇ色符号を選択するために２つのＧ色キーのいずれを押してもよい。
【００２１】
２つの色キーが押されると、コントローラ２０は入力された２桁の色符号列が登録済みの色符号列と一致するか否かを判定し、一致すればすべての数字キー０-９の発光を停止するか又はすべて白色（Ｗ）で発光する。図２の右側は操作パネル１０が１０個の数字キー０-９いいかえればテンキーを表示する状態を示す。解錠者は次に、記憶する暗唱数字列を入力し、この入力が終わればエンターキー（Ｅ）を押すことにより、コントローラ２０に暗唱数字列の入力完了を報知する。コントローラ２０は入力された暗唱数字列が登録済み数字列と一致すれば、電気錠３０を解錠する。
【００２２】
図３はコントローラ２０により実行されるこの解錠処理の一例を示すフローチャートである。まずステップＳ１００にてクリアキーが押されたか否かが判定され、押されたら数字キー０-９に今回の二次元色符号パターンを出力する（Ｓ１０２）。次に、入力された色符号列が登録済み色符号列と一致するか否かを判定し（Ｓ１０４）、一致すれば、入力された数字符号列が登録済み数字符号列と一致するか否かを判定し（Ｓ１０６）、一致すれば電気錠３０を解錠する（Ｓ１０８）。
【００２３】
この実施例の解錠処理方法によれば、数字と比べて判別しやすい色を暗唱符号として採用するため、いたずらに暗唱数字列の桁数を増加する必要が無い。また、色の二次元分布を解錠動作ごとに変更するため、特定の数字キーだけが集中的に汚れるのを防止することができる。これにより、防犯効果を向上することができる。さらに、数字キー０-９を色キーとして兼用するため、操作パネルを小型化することができる。
【００２４】
暗唱符号の登録動作及び登録解消動作の一例が以下に説明される。操作者はコントローラ２０に付属する制御スイッチ４０を押すことにより登録暗唱符号の追加、変更、解消が次に行われることをコントローラ２０に報知する。これにより、コントローラ２０は操作パネル１０に所定の二次元色パターンを出力する。次に、操作者は登録すべき又は登録解消すべき二桁の色符号列を順次入力し、次に登録すべき又は登録解消すべき四桁の数字符号列を順次入力する。最後に、登録動作においてはエンターキー（Ｅ）を押し、登録消去動作においてはクリアキー（Ｃ）を押す。次に、操作者は制御スイッチ４０を再度押すことにより、コントローラ２０を通常状態に復帰させる。上記登録及び登録解消動作は一例であり、他の方法により登録及び登録解消を行うことも当然可能である。
【００２５】
変形態様が以下に説明される。暗唱符号を構成する色符号列及び数字列の桁数は種々変更可能である。ＬＥＤの総数を減らすために、互いに隣接する複数の数字キーに対して１つのＬＥＤセットを割り当てることもできる。たとえば、数字キー１-３に１つのＬＥＤセットをなす３つの発光素子（Ｒ１、Ｇ１、Ｂ１）を割り当て、数字キー４-６にもう１つのＬＥＤセットをなす３つの発光素子（Ｒ２、Ｇ２、Ｂ２）を割り当て、数字キー７-９にもう１つのＬＥＤセットをなす３つの発光素子（Ｒ３、Ｇ３、Ｂ３）を割り当ててもよい。登録色符号がＲ、Ｇである時、解錠者は最初に数字キー１-３のいずれかを押し、次に数字キー４-６のいずれかを押せばよい。
【図１】
2017043972.tif 000003
【図２】
2017043972.tif 000004
【図３】
2017043972.tif 000005